(57)【特許請求の範囲】
【請求項１】
本体ケース内に収容された燃焼器と、
該本体ケース内に空気を取り入れ、該燃焼器により加熱された空気を該本体ケース外へ排出するファンと、
該燃焼器の燃焼量を制御する燃焼制御手段と、
該燃焼器の燃焼量に応じて該ファンの回転数を設定するファン制御手段と、
該ファンの回転数に応じた信号を出力する回転数センサと、
該回転数センサの信号に基づいて該ファンの回転数が該設定回転数より低い所定のロック回転数以下になったと認識したときに該ファンの異常を検知する異常検知手段とを備える温風暖房機において、
該燃焼量に応じた設定回転数毎に該ロック回転数を設け、該燃焼量が大きいほど該設定回転数と該ロック回転数との差を小さくしたことを特徴とする温風暖房機。
【請求項２】
本体ケース内に収容された燃焼器と、
該本体ケース内に空気を取り入れ、該燃焼器により加熱された空気を該本体ケース外へ排出するファンと、
該燃焼器の燃焼量を制御する燃焼制御手段と、
該燃焼器の燃焼量に応じて該ファンの回転数を設定するファン制御手段と、
該ファンの回転数に応じた信号を出力する回転数センサと、
該回転数センサの信号に基づいて該ファンの回転数が該設定回転数より一定回転数以上低くなった状態が所定時間継続したと認識したときに該ファンの異常を検知する異常検知手段とを備える温風暖房機において、
該燃焼量に応じた設定回転数毎に該所定時間を設け、該燃焼量が大きいほど該所定時間を短くしたことを特徴とする温風暖房機。
【請求項３】
本体ケース内に収容された燃焼器と、
該本体ケース内に空気を取り入れ、該燃焼器により加熱された空気を該本体ケース外へ排出するファンと、
該燃焼器の燃焼量を制御する燃焼制御手段と、
該燃焼器の燃焼量に応じて該ファンの回転数を設定するファン制御手段と、
該ファンの回転数に応じた信号を出力する回転数センサと、
該回転数センサの信号に基づいて該ファンの回転数が該設定回転数より低い所定のロック回転数以下になった状態が所定時間継続したと認識したときに該ファンの異常を検知する異常検知手段とを備える温風暖房機において、
前記設定回転数の各々に対して値の異なる前記ロック回転数を複数個ずつ設けると共に前記各ロック回転数毎に前記所定時間を設け、前記ロック回転数が低いほど対応する前記所定時間を短くしたことを特徴とする温風暖房機。
【請求項４】
前記異常検知手段が前記ファンの異常を検知したとき、前記燃焼制御手段が前記燃焼器の燃焼量を小さくし又は燃焼を停止させることを特徴とする請求項１から３のいずれか一項に記載の温風暖房機。
【請求項５】
前記異常検知手段が前記ファンの異常を検知したとき、前記燃焼制御手段が前記燃焼器の燃焼量を小さくし、その後、前記異常検知手段が、前記回転数センサの信号に基づいて、前記ファンの回転数が前記異常検知時の設定回転数毎に設けられた所定の解除回転数以上になったと認識したときに、前記燃焼制御手段が前記燃焼器の燃焼量を前記異常検知時の燃焼量に復帰させることを特徴とする請求項１から３のいずれか一項に記載の温風暖房機。
【請求項６】
前記回転数センサは、前記ファンの回転数に応じたパルス信号を出力し、
前記異常検知手段は、前記回転数センサのパルス信号のパルス間隔の時間を複数回測定して、その測定値の平均値に基づいて前記ファンの回転数を認識することを特徴とする請求項１記載の温風暖房機。
【請求項７】
前記回転数センサは、前記ファンの回転数に応じたパルス信号を出力し、
前記異常検知手段は、前記回転数センサのパルス信号のパルス間隔の時間を測定して、その測定値に基づいて前記ファンの回転数を認識することを特徴とする請求項２又は３に記載の温風暖房機。
【発明の詳細な説明】
【０００１】
【発明の属する技術分野】
本発明は、ファンヒータ等の温風暖房機に関する。
【０００２】
【従来の技術】
温風暖房機は、本体ケース内にファンにより空気を取り入れ、この空気を燃焼器の燃焼熱により加熱して、ファンにより本体ケースの吹出口から外部へ温風を排出するようになっている。燃焼器の燃焼中、ファンの回転数は、燃焼器の燃焼量に対応して必要な空気を供給する回転数に設定されるように制御される。
【０００３】
ファンが異物を噛む等して、ファンの回転数が異常に低下し又はファンが停止すると、本体ケース外への温風の排出が低下するので、燃焼器の燃焼熱により温風暖房機が過剰に高温となるおそれがある。
【０００４】
そこで、このようにファンの異常により温風暖房機が過熱するのを防止するため、従来の温風暖房機には、ファンの回転数がある最低回転数以下になるのを検知して、燃焼器の燃焼を停止させるものがあった。また、ファンの回転数が設定回転数から一定回転数以上低くなった状態が一定時間継続したときにファンの異常を検知して、燃焼器の燃焼を停止させるものがあった。
【０００５】
【発明が解決しようとする課題】
しかしながら、従来の温風暖房機の前者では、燃焼量が大きく設定回転数が高いほど、ファンの回転数が設定回転数から最低回転数以下になるまでに時間がかかり、温風暖房機が過熱し易くなる不都合があった。また、従来の温風暖房機の後者では、燃焼量や設定回転数に関係なく、設定回転数から一定回転数以上低くなった状態が一定時間継続したときにファンの異常を検知するところ、燃焼量が大きいほどファンに異常が生じてから温風暖房機が過熱するまでの時間は短いので、やはり、燃焼量が大きいほど、異常を検知するまでに温風暖房機が過熱し易くなる不都合があった。
【０００６】
本発明は、上記不都合を解消し、燃焼量が大きいほどファンの異常を素早く検知して温風暖房機が過熱するのを防止することができることを目的とする。
【０００７】
【課題を解決するための手段】
上記目的を達成するため、本発明の第１の態様は、本体ケース内に収容された燃焼器と、該本体ケース内に空気を取り入れ、該燃焼器により加熱された空気を該本体ケース外へ排出するファンと、該燃焼器の燃焼量を制御する燃焼制御手段と、該燃焼器の燃焼量に応じて該ファンの回転数を設定するファン制御手段と、該ファンの回転数に応じた信号を出力する回転数センサと、該回転数センサの信号に基づいて該ファンの回転数が該設定回転数より低い所定のロック回転数以下になったと認識したときに該ファンの異常を検知する異常検知手段とを備える温風暖房機において、該燃焼量に応じた設定回転数毎に該ロック回転数を設け、該燃焼量が大きいほど該設定回転数と該ロック回転数との差を小さくしたことを特徴とする。
【０００８】
本発明の第１の態様によれば、燃焼量が大きく設定回転数が大きいほど、設定回転数からロック回転数以下になるまでの回転数の許容範囲が小さいので、燃焼量が大きいほどファンの異常を素早く検知することができる。
【０００９】
次に、本発明の第２の態様は、本体ケース内に収容された燃焼器と、該本体ケース内に空気を取り入れ、該燃焼器により加熱された空気を該本体ケース外へ排出するファンと、該燃焼器の燃焼量を制御する燃焼制御手段と、該燃焼器の燃焼量に応じて該ファンの回転数を設定するファン制御手段と、該ファンの回転数に応じた信号を出力する回転数センサと、該回転数センサの信号に基づいて該ファンの回転数が該設定回転数より一定回転数以上低くなった状態が所定時間継続したと認識したときに該ファンの異常を検知する異常検知手段とを備える温風暖房機において、該燃焼量に応じた設定回転数毎に該所定時間を設け、該燃焼量が大きいほど該所定時間を短くしたことを特徴とする。
【００１０】
本発明の第２の態様によれば、燃焼量が大きく設定回転数が大きいほど、ファンの回転数が一定回転数以上低下した状態になってから異常を検知するまでの所定時間が短いので、燃焼量が大きいほどファンの異常を素早く検知することができる。
【００１１】
本発明の第３の態様によれば、本体ケース内に収容された燃焼器と、該本体ケース内に空気を取り入れ、該燃焼器により加熱された空気を該本体ケース外へ排出するファンと、該燃焼器の燃焼量を制御する燃焼制御手段と、該燃焼器の燃焼量に応じて該ファンの回転数を設定するファン制御手段と、該ファンの回転数に応じた信号を出力する回転数センサと、該回転数センサの信号に基づいて該ファンの回転数が該設定回転数より低い所定のロック回転数以下になった状態が所定時間継続したと認識したときに該ファンの異常を検知する異常検知手段とを備える温風暖房機において、前記設定回転数の各々に対して値の異なる前記ロック回転数を複数個ずつ設けると共に前記各ロック回転数毎に前記所定時間を設け、前記ロック回転数が低いほど対応する前記所定時間を短くしたことを特徴とする。
【００１２】
本発明の第３の態様によれば、ある設定回転数が設定されている場合、ファンに異常が生じて、回転数が設定回転数に対する複数のロック回転数のうちのより低いロック回転数以下になったときほど、すなわち、ファンの回転数がより大きく低下して異常の度合いが大きいときほど、異常を検知するまでの所定時間が短いので、ファンの異常を素早く検知することができる。
【００１３】
以上の本発明においては、前記異常検知手段が前記ファンの異常を検知したとき、前記燃焼制御手段が前記燃焼器の燃焼量を小さくし又は燃焼を停止させることが好適である。これにより燃焼量が大きいときほどファンの異常を素早く検知し、温風暖房機が過熱するのを速やかに防止することができる。また、ファンの異常により本体ケース内へ取り入れる空気量が減少して異常燃焼が生じた場合にも、ファンの異常を素早く検知して燃焼器の燃焼量を小さくすることにより、速やかに空燃費を改善して異常燃焼を解消することができる。
【００１４】
また、以上の本発明においては、前記異常検知手段が前記ファンの異常を検知したとき、前記燃焼制御手段が前記燃焼器の燃焼量を小さくし、その後、前記異常検知手段が、前記回転数センサの信号に基づいて、前記ファンの回転数が前記異常検知時の設定回転数毎に設けられた所定の解除回転数以上になったと認識したときに、前記燃焼制御手段が前記燃焼器の燃焼量を前記異常検知時の燃焼量に復帰させることが好適である。これにより、ファンの回転数の異常を検知して燃焼器の燃焼量を小さくした後、回転数が正常であると判断した場合には燃焼量を元に復帰させるので、異常を誤検知した場合などに使用者に違和感を与えることなく燃焼を継続させることができる。
【００１５】
本発明の第１の態様においては、前記回転数センサは、前記ファンの回転数に応じたパルス信号を出力し、前記異常検知手段は、前記回転数センサのパルス信号のパルス間隔の時間を複数回測定して、その測定値の平均値に基づいて前記ファンの回転数を認識することが好適である。第１の態様においては、ファンの回転数がロック回転数以下になったときにファンの異常を検知するが、平均値に基づいてファンの回転数を精度良く認識できるので、ファンの異常を誤検知するのを少なくすることができる。
【００１６】
本発明の第２及び第３の態様においては、前記回転数センサは、前記ファンの回転数に応じたパルス信号を出力し、前記異常検知手段は、前記回転数センサのパルス信号のパルス間隔の時間を測定して、その測定値に基づいて前記ファンの回転数を認識することが好適である。これにより、第２及び第３の態様において、例えば１パルス間隔の時間でファンの回転数を認識できるので、ファンの回転数が一定回転数以上低下したか又はロック回転数以下になったかを短時間で判断して、ファンの異常を検知するまでの時間を短縮することができる。
【００１７】
【発明の実施の形態】
本発明の第１の態様の温風暖房機の一実施形態を図１から図４を参照して説明する。図１は本発明の一実施形態の温風暖房機の全体的システム構成図、図２は一実施形態の温風暖房機の要部のブロック図、図３は一実施形態の温風暖房機の設定回転数、ロック回転数及び解除回転数を示す図、図４は一実施形態の温風暖房機の作動を説明するためのフローチャートである。
【００１８】
図１を参照して、本実施形態の温風暖房機は例えばガスファンヒータであり、室内に配置される本体ケース１内に、ダクト２、送風ファン３、ガスバーナ４（燃焼器）、ダクト５、ガス供給管６及び制御ユニット７を備えている。
【００１９】
ダクト２は、温風の送風路を構成するものであり、室内空気ｓを取り込むための吸気口８が本体ケース１の背面に開口し、温風の吹出口９が本体ケース１の前面下部に開口している。吸気口８には、塵や埃等がダクト２内に流入するのを防ぐエアフィルタ１０が着脱自在に取付けられている。吹出口９には、その開口度合いを調節する可動式ルーバ１１が設けられ、可動式ルーバ１１にはこれを駆動するギャドモータ１２が設けられている。ダクト２内部の吸気口８付近には、サーミスタにより構成された室温センサ１３が取付けられ、室温センサ１３は室温に応じた信号を制御ユニット７に出力する。
【００２０】
送風ファン３は、通電電流に比例して回転数が変化するファンモータ１４と、ダクト２内に吹出口９に臨んで配置され、ファンモータ１４により回転駆動される回転羽根１５とを有する。送風ファン３は、回転羽根１５の回転により吸気口８からダクト２内に室内空気ｓを吸引し、その吸引した室内空気ｓをダクト２内に組み込まれたガスバーナ４の燃焼排気ｈと混合し、それを温風ｍとして吹出口９から室内へ吹き出す。
【００２１】
送風ファン３のファンモータ１４の回転軸には、その回転数を検出するためのホールＩＣ等で構成される回転数センサ１６が設けられている。回転数センサ１６は、ファンモータ１４の回転数に応じた信号を制御ユニット７に出力する。本実施形態の回転数センサ１６は、送風ファン３の１回転につき４パルスの信号を出力するホールＩＣで構成される。
【００２２】
ガスバーナ４は、ダクト２内に配置された燃焼胴１７内に燃焼プレート１８を配し、燃焼用空気と燃料ガスとの混合気に点火するための点火電極１９を燃焼プレート１８の下流側に配している。ガスバーナ４の燃焼排気ｈは、燃焼胴１７からダクト２内へ排出される。燃焼プレート１８の下流側には燃焼炎の有無を検知するための熱電対２０が配置され、この熱電対２０は、ガスバーナ４の燃焼炎に晒された状態で起電力を発生し、それを制御ユニット７に出力する。
【００２３】
ダクト５は、室内空気ｓ（燃焼用空気）と燃料ガスとをガスバーナ４に供給するための通路であり、ガスバーナ４の燃焼胴１７内と連通し且つダクト２と画成して本体ケース１内に組み込まれ、本体ケース１の背面で開口した室内空気ｓの吸気口２１を有している。ダクト５のガスバーナ４側の箇所には、ガス供給管６の先端に取付けられたノズル２２が設けられている。このダクト５には、送風ファン３の回転作動により燃焼胴１７内が負圧となって吸気口２１から室内空気ｓが吸引され、その吸引された室内空気ｓがガス供給管６のノズル２２から噴出される燃料ガスと混合され、その混合気がガスバーナ４に供給される。吸気口２１は、ダクト２の吸気口８と共にエアフィルタ１０により覆われている。
【００２４】
ガス供給管６には、その上流側から順に電磁弁２４，２５及び電磁比例弁２６が配設されている。電磁弁２４，２５は、通電により開弁するものであり、開弁状態では燃料ガスをノズル２２方向へ通過させ、通電を停止した閉弁状態では燃料ガスの通過を遮断する。電磁比例弁２６は、通電電流の大きさに伴って開度が増大する弁であり、通電電流とガスバーナ４への供給ガス量とが比例する。
【００２５】
本体ケース１の外面部には、運転スイッチ２７、室温設定スイッチ２８及びフィルタランプ２９が配設されている。運転スイッチ２７は、そのＯＮ／ＯＦＦ操作により暖房運転の開始や終了を制御ユニット７に指示する。室温設定スイッチ２８は、室温を設定するための操作スイッチであり、その所定の操作により、設定室温を例えば１℃づつ上昇あるいは下降させて制御ユニット７に指示する。フィルタランプ２９は、エアフィルタ１０の目詰まりが進行している場合等、送風ファン３の回転作動時の風量が正常な場合に比してある程度少なくなる場合に、制御ユニット７の通電制御により点灯し、その点灯によりエアフィルタ１０の清掃等の必要性を使用者に報知する。
【００２６】
図２を参照して、制御ユニット７は、マイクロコンピュータ等を用いて構成されたものであり、その主要な機能的構成を大別すると、燃焼制御部３０、ファン制御部３１、異常検知部３２を備える。
【００２７】
燃焼制御部３０は、運転スイッチ２７及び室温設定スイッチ２８の指示信号、並びに、室温センサ１３及び熱電対２０の検出信号などに基づき、ガス供給管６の電磁弁２４，２５及び電磁比例弁２６や点火電極１９を通電制御することで、ガスバーナ４の点火、消火、燃焼量の調整（燃料ガスの供給量の調整）等、ガスバーナ４の燃焼を制御する。燃焼制御部３０は、ガスバーナ４の点火動作時を含む燃焼運転中に、ガスバーナ４の燃焼量（燃料ガスの供給量）を１〜１２速の１２種類に設定可能となっている。この１２種類の設定燃焼量のうち、１２速は最大燃焼量に相当し、１速は最小燃焼量に相当する。
【００２８】
ファン制御部３１は、運転スイッチ２７及び室温設定スイッチ２８の指示信号、並びに、室温センサ１３、回転数センサ１６及び熱電対２０の検出信号などに基づき、ファンモータ１４を通電制御して、送風ファン３の回転数を制御し、これによりガスバーナ４への燃焼用空気を含む送風ファン３の風量を制御する。ファン制御部３１は、ガスバーナ４の点火動作時を含む燃焼運転中に、ガスバーナ４の設定燃焼量に対応して送風ファン３の回転数を１〜１２速の１２種類に設定可能となっている。この１２種類の設定回転数のうち、１２速は燃焼中の最大回転数に相当し、１速は燃焼中の最小回転数に相当する。
【００２９】
各速数におけるガスバーナ４の設定燃焼量及び送風ファン３の設定回転数は、あらかじめ所定値に定められており、各所定値の値は、基本的には、ガスバーナ４の設定燃焼量の速数と送風ファン３の設定回転数の速数とを同じにすることで、各速数におけるガスバーナ４の空燃比が最適となるように定められている。
【００３０】
燃焼制御部３０による設定燃焼量の制御とファン制御部３１による設定回転数の制御とは所定のシーケンスに従って行われる。シーケンスの一つである温調制御を行う場合、燃焼制御部３０は、室温センサ１３の検出室温と室温設定スイッチ２８による設定室温とに基づき、それらを一致させるために必要な燃焼量を得られるように設定燃焼量の速数を設定し、ファン制御部３１は、送風ファン３の設定回転数の速数を燃焼制御部３０の設定燃焼量と同じ速数に設定する。
【００３１】
本実施形態においては、燃焼制御部３０とファン制御部３１とが温調制御を行う場合に異常検知部３２が動作して、以下に詳述するファンロック検知及びファンロック解除を行う。
【００３２】
まず、ファンロック検知について説明する。図３に示すように、異常検知部３２は、ファン制御部３１の１速〜１２速の設定回転数ａ１〜a１２の夫々に対応して、所定のロック回転数ｂ１〜ｂ１２を有している。設定燃焼量の速数が大きく、これに対応して設定回転数の速数が大きいほど、設定回転数ａｎとロック回転数ｂｎとの差ａｎ−ｂｎ（ｎ＝１，２，３，…，１２）の大きさは小さくなっている。
【００３３】
また、異常検知部３２は、ファンロック検知タイマ３３を有しており、このタイマ３３を用いて、回転数センサ１６から送風ファン３の回転数に応じたパルス信号の４パルス分のパルスが入力される毎にタイマをカウントして、４パルス分のパルス間隔の時間（４パルス周期）を測定する。本実施形態の回転数センサ１６は送風ファン３の１回転につき４パルスの信号を出力するので、異常検知部３２は、ファンロック検知タイマ３３により測定した４パルス周期に基づいて、送風ファン３の回転数を認識することができる。本実施形態において、異常検知部３２は、前記の４パルス周期を４回連続して測定して、その測定値の平均値を算出し、その平均値に基づいて送風ファン３の回転数を認識する。これにより、送風ファン３の回転数を精度良く認識することができる。
【００３４】
異常検知部３２は、認識した送風ファン３の回転数がそのときの設定回転数の速数に対応したロック回転数以下になったときに、送風ファン３が異常であると検知する（ファンロック検知）。そして、異常検知部３２はファンロック検知の信号を燃焼制御部３０に出力する。燃焼制御部３０は、ファンロック検知の信号を入力されると、そのときの設定燃焼量の速数が２速〜１２速である場合には設定燃焼量の速数を強制的に１速に低下させ、また、そのときの設定燃焼量の速数が１速である場合にはガスバーナ４の燃焼を停止させる。
【００３５】
次に、ファンロック解除について説明する。図３に示すように、異常検知部３２は、１速〜１２速の設定回転数ａ１〜ａ１２の夫々に対応して、所定の解除回転数ｃ１〜ｃ１２を有している。設定回転数ａ１〜ａ１２が小さいほど、対応する解除回転数ｃ１〜ｃ１２の大きさは小さくなっている。
【００３６】
また、異常検知部３２は、ファンロック解除タイマ３４を有しており、このタイマ３４を用いて、回転数センサ１６から送風ファン３の回転数に応じたパルス信号の１パルスが入力される毎にタイマをカウントして、この信号の１パルス分のパルス間隔の時間（１パルス周期）を測定する。前記のように回転数センサ１６は送風ファン３の１回転につき４パルスの信号を出力するので、異常検知部３４は、ファンロック解除タイマ３４により測定した１パルス周期に基づいて、送風ファン３の回転数を認識することができる。
【００３７】
そして、異常検知部３２は、前記のファンロック検知の状態にあるとき、認識した送風ファン３の回転数が、ファンロック検知時の設定回転数に応じた解除回転数以上になったときに、送風ファン３が正常であると判断する（ファンロック解除）。そして、異常検知部３２は、ファンロック解除の信号を燃焼制御部３０に出力する。燃焼制御部３０は、ファンロック解除の信号を入力されると、ファンロック検知時の設定燃焼量の速数が２速〜１２速である場合には、設定燃焼量の速数をそのファンロック検知時の設定燃焼量に復帰させる。ファンロック検知時の設定燃焼量の速数が１速である場合には、燃焼制御部３０の制御によりガスバーナ４の燃焼が既に停止されているので、設定燃焼量の復帰は行わない。
【００３８】
次に、本実施形態の温風暖房機のファンロック検知及びファンロック解除における動作を説明する。図４を参照して、本実施形態の温風暖房機が温調制御を行う場合、燃焼制御部３０は、室温センサ１３の検出室温と室温設定スイッチ２８による設定室温とに基づき、それらを一致させるために必要な燃焼量を得られるように設定燃焼量の速数を設定する（ＳＴＥＰ１）。ファン制御部３１は、燃焼制御部３０の設定燃焼量と同じ速数に送風ファン３の設定回転数の速数を設定する（ＳＴＥＰ２）。
【００３９】
この温調制御が行われているとき、異常検知部３２は、ファンロック検知タイマ３３を用いて回転数センサ１６の出力するパルス信号の４パルス周期を測定し、その測定値の平均値に基づいて、送風ファン３の回転数を認識する。そして、異常検知部３２は、認識した送風ファン３の回転数がそのときの設定回転数に対するロック回転数以下であるか否かを判定する（ＳＴＥＰ３）。送風ファン３の回転数がロック回転数以下でないと認識した場合は、再びＳＴＥＰ３に戻る。
【００４０】
他方、送風ファン３の回転数がロック回転数以下であると認識した場合には、異常検知部３２は、ファンロック検知ありと判断し（ＳＴＥＰ４）、燃焼制御部３０にファンロック検知の信号を出力する。これを受けて、燃焼制御部３０は、設定燃焼量の速数を強制的に１速に設定する（ＳＴＥＰ５）。
【００４１】
そして更に、異常検知部３２は、送風ファン３の回転数が１速の設定回転数に対応するロック回転数以下であるか否かを判定する（ＳＴＥＰ６）。１速のロック回転数以下である場合には、燃焼制御部３０は、設定燃焼量が強制的に１速に設定された状態で、ファンロック検知の信号を入力されるので、ガスバーナ４の燃焼を停止させる（ＳＴＥＰ７）。
【００４２】
次に、ファンロック検知ありの状態で、設定燃焼量の速数が強制的に１速に設定されているとき、異常検知部３２は、ファンロック解除タイマ３４を用いて回転数センサ１６の出力信号の１パルス周期を測定し、その測定値に基づいて送風ファン３の回転数を認識する。そして、異常検知部３２は、認識した送風ファン３の回転数が、ファンロック検知時の設定回転数に対する解除回転数以上であるか否かを判定する（ＳＴＥＰ８）。送風ファン３の回転数が解除回転数以上でないと認識した場合は、再びＳＴＥＰ８に戻る。
【００４３】
他方、送風ファン３の回転数が解除回転数以上であると認識した場合には、ファンロック解除と判断して（ＳＴＥＰ９）、燃焼制御部３０にファンロック解除の信号を出力する。これを受けて、燃焼制御部３０は、設定燃焼量の速数を、ファンロック検知時の設定燃焼量の速数に復帰させる（ＳＴＥＰ１０）。
【００４４】
本実施形態によれば、燃焼制御部３０による設定燃焼量が大きく、これに対応してファン制御手段３１による設定回転数が大きいほど、設定回転数とロック回転数との差、すなわち、送風ファン３の異常を検知するための回転数の許容範囲が小さくなっているので、異常検知部３２は送風ファン３の回転数の異常を素早く検知することができる。
【００４５】
ファンロック検知の際、異常検知部３２は、ファンロック検知タイマ３３により回転数センサ１６のパルス信号の４パルス周期を複数回測定し、その平均値に基づいて送風ファン３の回転数を認識するので、送風ファン３の回転数を少ない誤差で精度良く認識できるので、送風ファン３の異常を誤検知することを少なくすることができる。
【００４６】
また、異常検知部３２によりファンロック検知をして、ガスバーナ４の設定燃焼量の速数を強制的に１速に低下させた後、異常検知部３２によりファンロック解除と判断した場合には、設定燃焼量をファンロック検知時の速数に復帰させるので、異常を誤検知した場合などにも、ガスバーナ４の燃焼量を元に戻して、使用者に違和感を与えることなく燃焼を継続させることができる。
【００４７】
ファンロック解除の際、異常検知部３２は、ファンロック解除タイマ３４により回転数センサ１６のパルス信号の１パルス周期の時間により短時間で送風ファン３の回転数を認識して、ファンロック解除を行なうことができるので、送風ファン３の異常を誤検知した場合に速やかに燃焼量を復帰させることができる。
【００４８】
次に、本発明の第２の態様の温風暖房機の一実施形態を図５を参照して説明する。図５は第２の態様の一実施形態の温風暖房機の異常を検知するための所定時間を示す図である。第１の態様の実施形態と共通する部分は説明を省略する。
【００４９】
第２の態様の実施形態の温風暖房機では、異常検知部３２は、第１の態様の前記実施形態のものと同様に、１速〜１２速の設定燃焼量に対応した１速〜１２速の設定回転数の夫々に対応して、１速〜１２速のロック回転数及び解除回転数を夫々有している。
【００５０】
但し、第２の態様の本実施形態の異常検知部３２は、第１の態様の前記実施形態とは異なり、１速〜１２速の各設定回転数と対応する各ロック回転数との回転数の差が一定となっている。そして、異常検知部３２は、送風ファン３の回転数がロック回転数以下になった状態が所定時間継続したと認識したときに、送風ファン３の異常を検知する。そのため、図５に示すように、異常検知部３２は、１速〜１２速の各ロック回転数に対応して、所定時間ｔ１〜ｔ１２を有している。設定燃焼量の速数が大きく、これに応じて設定燃焼量の速数が大きいほど、各ロック回転数に対応した各所定時間ｔ１〜ｔ１２の長さは短くなっている。
【００５１】
また、第２の態様の本実施形態の異常検知部３２は、第１の態様の前記実施形態とは異なり、ファンロック検知タイマ３３を用いて回転数センサ１６のパルス信号の２パルス分のパルス間隔の時間（２パルス周期）を測定し、この測定値に基づいて送風ファン３の回転数を認識する。従って、２パルス分のパルス間隔の時間で短時間で送風ファン３の回転数を認識することができる。
【００５２】
第２の態様の本実施形態によれば、設定燃焼量が大きく、それに応じて設定回転数が大きいほど、その設定回転数に対するロック回転数以下になったときから異常を検知するまでに要する所定時間ｔ１〜ｔ１２の長さが短くなっているので、燃焼量が大きいほど、送風ファン３の回転数の異常を素早く検知することができる。
【００５３】
次に、本発明の第３の態様の温風暖房機の一実施形態を図６を参照して説明する。図６は本実施形態の温風暖房機のロック回転数及び異常を検知するための所定時間を示す図である。第１又は第２の態様の前記実施形態と共通する部分は説明を省略する。
【００５４】
本実施形態では、第１及び第２の態様の前記実施形態とは異なり、異常検知部３２は、前記１速〜１２速の設定回転数ａ１〜ａ１２の一つ一つに対して、異なる値のロック回転数を複数個ずつ有すると共に、各ロック回転数に対応した各所定時間を有している。図６を参照して、例えば７速の設定回転数ａ７に対して、複数のロック回転数ｂ７−１、ｂ７−２を有しており、この各ロック回転数に対応する所定時間ｔ７−１，ｔ７−２を有している。低い方のロック回転数ｂ７−１に対応する所定時間ｔ７−１の長さは、高い方のロック回転数ｂ７−２に対応する所定時間ｔ７−２よりも短くなっている。
【００５５】
従って、設定回転数が７速に設定されている場合に、送風ファン３に異常が生じて回転数がロック回転数ｂ７−２以下になったときには、異常を検知するまでに所定時間ｔ７−２を要するのに対して、回転数がロック回転数ｂ７−２より更に低いロック回転数ｂ７−１以下になったときには、所定時間ｔ７−２より短い所定時間ｔ７−１で異常を検知できるようになっている。
【００５６】
そして、異常検知部３２が、ファンの回転数がロック回転数ｂ７−２以下になった状態が所定時間ｔ７−２継続したと認識して、ファンロック検知をした場合、燃焼制御部３０は燃焼量の速数を１速に設定する。また、異常検知部３２が、ファンの回転数がロック回転数ｂ７−１以下になった状態が所定時間ｔ７−１継続したと認識して、ファンロック検知をした場合、燃焼制御部３０はガスバーナ４の燃焼を停止させるようになっている。
【００５７】
このように本実施形態によれば、ある設定回転数が設定されているときに、送風ファン３の回転数がその設定回転数に対して設けられた複数のロック回転数のうちのより低い回転数のロック回転数以下になったときほど、すなわち、送風ファン３の回転数がより大きく低下して異常の度合いが大きいほど、ロック回転数以下になったときから異常を検知するまでの所定時間が短いので、送風ファン３の異常を素早く検知することができる。更に、送風ファン３の回転数の低下の度合い、すなわち異常の度合いが小さければ、燃焼量を小さくし、異常の度合いが大きければ燃焼を停止させるようにして、ファンの異常の度合いに応じて処理をかえることができる。
【００５８】
以上の各実施形態において、送風ファン３に異物が噛むなどして回転数が急激に低下したり送風ファン３が停止するなど、送風ファン３の異常が生じた場合には、本体ケース１内へ取り入れる空気量が減少して、空燃費が低くなり、異常燃焼が生じ易い。このような場合にも、各実施形態によれば、送風ファン３の異常を素早く検知して燃焼量を小さくすることにより、速やかに空燃費を改善し異常燃焼を解消することができる。
【００５９】
なお、以上の各実施形態においては、燃焼制御部３０は複数の速数の設定燃焼量を有し、この速数の設定燃焼量のいずれかを設定することによりガスバーナ４の燃焼を制御するようになっているが、これに限らず、室内温度等に基づいて燃焼量を連続的に変化させて制御するようにしてもよい。
【００６０】
また、以上の各実施形態においては、異常検知部３２が、ファンロック検知に加えて、ファンロック解除の動作も行うようになっているが、これに限らず、異常検知部３２はファンロック検知のみを行い、ファンロック解除による燃焼量の復帰を行わないようにしてもよい。
【００６１】
また、ファンロック解除を行なう場合に、ファンロック検知の状態において、異常検知部３２が、送風ファン３の回転数がファンロック検知時の設定回転数に対応して設けられた解除回転数以上になった状態が所定時間継続したと認識したときに、送風ファン３が正常であると判断して、ファンロック解除を行なうようにしてもよい。この所定時間は、回転数センサ１６のパルス信号のパルス周期の測定誤差等により送風ファン３の回転数が瞬間的に解除回転数以上となったときにファンロック検知なしと誤って判断するのを防止するために設けられる。この所定時間は解除回転数ｃ１〜ｃ１２の各々に共通した一定時間としてもよく、必要に応じて解除回転数毎に異なる時間としてもよい。
【図面の簡単な説明】
【図１】本発明の第１の態様の一実施形態の温風暖房機の全体的システム構成図
【図２】図１の実施形態の温風暖房機の要部のブロック図
【図３】図１の実施形態の温風暖房機の設定回転数、ロック回転数、解除回転数を示す図
【図４】図１の実施形態の温風暖房機の作動を説明するためのフローチャート
【図５】本発明の第２の態様の一実施形態の温風暖房機の異常を検知するための所定時間を示す図
【図６】本発明の第３の態様の一実施形態の温風暖房機のロック回転数及び異常を検知するための所定時間を示す図
【符号の説明】
１…本体ケース、３…送風ファン、４…ガスバーナ（燃焼器）、１６…回転数センサ、３０…燃焼制御部、３１…ファン制御部、３２…異常検知部、３３…ファンロック検知タイマ、３４…ファンロック解除タイマ
【図１】
0003712627.tif 000002
【図２】
0003712627.tif 000003
【図３】
0003712627.tif 000004
【図４】
0003712627.tif 000005
【図５】
0003712627.tif 000006
【図６】
0003712627.tif 000007